(57)【要約】【課題】崩れにくい強固な畦を形成できる畦塗り機を提供する。【解決手段】畦塗り機１は、土を盛り上げる盛土体３と、盛土を締め固めて畦側面を形成する畦側面形成体24と、盛土を締め固めて畦上面を形成する畦上面形成体25とを備える。畦上面形成体25は、弾性変形可能な複数枚の畦上面形成板である羽根板41を有する。羽根板41は、畦側面形成体24と重なる移行部52を有する。移行部52は、畦側面形成体24との重なり量が回転方向前端側から回転方向後端側に向かって減少するような形状となっている。【選択図】図１
2015146793.tif 000002
【特許請求の範囲】
【請求項１】
土を盛り上げる盛土体と、
この盛土体にて盛り上げられた土を締め固めて畦側面を形成する回転可能な畦側面形成体と、
前記盛土体にて盛り上げられた土を締め固めて畦上面を形成する回転可能な畦上面形成体とを備え、
前記畦上面形成体は、複数枚の畦上面形成板を有し、
前記畦上面形成板は、前記畦側面形成体と重なる移行部を有し、
前記移行部は、前記畦側面形成体との重なり量が回転方向前端側から回転方向後端側に向かって減少するような形状となっている
ことを特徴とする畦塗り機。
【請求項２】
畦上面形成板の移行部の回転方向前端部は、畦側面形成体が有する互いに隣り合う畦側面形成板のうちの一方の畦側面形成板の回転方向前端部の近傍に位置し、
前記移行部の回転方向前端部の少なくとも先端側は、前記互いに隣り合う畦側面形成板のうちの他方の畦側面形成板の回転方向後端部よりも畦側に突出しないように位置している
ことを特徴とする請求項１記載の畦塗り機。
【請求項３】
畦上面形成板の移行部の回転方向後端部は、湾曲形状または多角形状に形成されている
ことを特徴とする請求項１または２記載の畦塗り機。
【請求項４】
畦上面形成板は、弾性変形可能な羽根板である
ことを特徴とする請求項１ないし３のいずれか一記載の畦塗り機。
【発明の詳細な説明】
【技術分野】
【０００１】
本発明は、崩れにくい強固な畦を形成できる畦塗り機に関するものである。
【背景技術】
【０００２】
従来、例えば特許文献１に記載された畦塗り機が知られている。
【０００３】
この従来の畦塗り機は、土を盛り上げる盛土体と、この盛土体にて盛り上げられた土を締め固めて畦側面を形成する回転可能な畦側面形成体と、盛土体にて盛り上げられた土を締め固めて畦上面を形成する回転可能な畦上面形成体とを備えている。
【０００４】
また、畦側面形成体は複数枚の畦側面形成板を有し、畦上面形成体は複数枚の畦上面形成板を有し、これら畦側面形成板と畦上面形成板とが互いに重ならないように位置している。
【先行技術文献】
【特許文献】
【０００５】
【特許文献１】特開２０１０−１５４８０７号公報（図３）
【発明の概要】
【発明が解決しようとする課題】
【０００６】
しかしながら、上記従来の畦塗り機では、例えば畦の土質等によっては、崩れにくい強固な畦を形成することができないおそれがある。
【０００７】
本発明は、このような点に鑑みなされたもので、崩れにくい強固な畦を形成できる畦塗り機を提供することを目的とする。
【課題を解決するための手段】
【０００８】
請求項１記載の畦塗り機は、土を盛り上げる盛土体と、この盛土体にて盛り上げられた土を締め固めて畦側面を形成する回転可能な畦側面形成体と、前記盛土体にて盛り上げられた土を締め固めて畦上面を形成する回転可能な畦上面形成体とを備え、前記畦上面形成体は、複数枚の畦上面形成板を有し、前記畦上面形成板は、前記畦側面形成体と重なる移行部を有し、前記移行部は、前記畦側面形成体との重なり量が回転方向前端側から回転方向後端側に向かって減少するような形状となっているものである。
【０００９】
請求項２記載の畦塗り機は、請求項１記載の畦塗り機において、畦上面形成板の移行部の回転方向前端部は、畦側面形成体が有する互いに隣り合う畦側面形成板のうちの一方の畦側面形成板の回転方向前端部の近傍に位置し、前記移行部の回転方向前端部の少なくとも先端側は、前記互いに隣り合う畦側面形成板のうちの他方の畦側面形成板の回転方向後端部よりも畦側に突出しないように位置しているものである。
【００１０】
請求項３記載の畦塗り機は、請求項１または２記載の畦塗り機において、畦上面形成板の移行部の回転方向後端部は、湾曲形状または多角形状に形成されているものである。
【００１１】
請求項４記載の畦塗り機は、請求項１ないし３のいずれか一記載の畦塗り機において、畦上面形成板は、弾性変形可能な羽根板であるものである。
【発明の効果】
【００１２】
本発明によれば、畦上面形成板は畦側面形成体と重なる移行部を有し、この移行部は畦側面形成体との重なり量が回転方向前端側から回転方向後端側に向かって減少するような形状となっているため、崩れにくい強固な畦を形成できる。
【図面の簡単な説明】
【００１３】
【図１】本発明の一実施の形態に係る畦塗り機の平面図である。
【図２】同上畦塗り機の畦形成部（ディスク部）の平面図である。
【図３】同上畦形成部の側面図である。
【図４】同上畦形成部の斜視図である。
【図５】同上畦形成部の斜視図である。
【図６】同上畦形成部の一部分解斜視図である。
【図７】同上畦形成部の畦上面形成板（羽根板）の説明図で、（ａ）が弾性変形する前の図、（ｂ）が弾性変形した後の図である。
【図８】（ａ）は図４におけるＡ−Ａ断面図、（ｂ）は図４におけるＢ−Ｂ断面図、（ｃ）は図４におけるＣ−Ｃ断面図である。
【図９】本発明の他の実施の形態に係る畦塗り機の畦形成部の斜視図である。
【図１０】本発明の更に他の実施の形態に係る畦塗り機の畦形成部の斜視図である。
【発明を実施するための形態】
【００１４】
本発明の一実施の形態について図面を参照して説明する。
【００１５】
図１において、１は畦塗り機で、この畦塗り機１は、走行車であるトラクタ（図示せず）の後部に連結され、トラクタの前進走行により前方（進行方向）に移動しながら畦塗り作業をする。なお、圃場の隅部では、畦塗り機１は、図１の前進作業状態からバック作業状態に切り換えられ、トラクタのバック走行により後方（進行方向）に移動しながら畦塗り作業をする。
【００１６】
畦塗り機１は、図示しないトラクタの後部の３点リンク（作業機昇降支持装置）に脱着可能に連結された機体２と、機体２に回転可能に設けられ田面および畦（元畦）の土を耕耘して盛り上げる盛土部である盛土体３と、機体２に回転可能に設けられ盛土体３の進行方向後方で左右方向の回転中心軸線Ｘを中心として回転しながら盛土体３にて盛り上げられた土を締め固めて新たな畦（新畦）を形成する畦形成部４と、盛土体３の進行方向前方で元畦の畦上面を削る回転可能な上面削り部５とを備えている。
【００１７】
機体２は、トラクタの後部の３点リンクに脱着可能に連結された固定機枠７を有している。固定機枠７には回動アーム８の一端部が回動可能に取り付けられ、この回動アーム８の他端部には可動機枠９が回動可能に取り付けられている。そして、可動機枠９に、盛土体３、畦形成部４および上面削り部５がそれぞれ回転可能に設けられている。なお、これら盛土体３、畦形成部４および上面削り部５にて、畦塗り作業部６が構成されている。
【００１８】
固定機枠７は、軸保持部10を有し、この軸保持部10には前後方向の入力軸11が回転可能に設けられ、この入力軸11はトラクタのＰＴＯ軸にジョイント（図示せず）を介して接続されている。また、可動機枠９は、入力軸11からの動力を畦塗り作業部６へ伝達する伝動手段を収納する伝動ケースを兼ねたものであり、この可動機枠９の後部にはゲージ輪12が取り付けられている。
【００１９】
なお、第１シリンダ13の作動で回動アーム８が固定機枠７に対して回動し、第２シリンダ14の作動で可動機枠９が回動アーム８に対して回動し、これら両回動によって畦塗り作業部６が前進作業位置、非作業位置およびバック作業位置に選択的に移動する。
【００２０】
盛土体３は、可動機枠９にて回転可能に軸支された前後方向の駆動軸である回転軸21と、この回転軸21に突設されこの回転軸21と一体となって回転しながら田面および畦の土を耕耘して盛り上げる複数の盛土爪22とを有している。なお、盛土体３の回転軸21は、入力軸11側からの動力によって所定方向に駆動回転する。盛土爪22は、カバー部材15，16によって覆われている。
【００２１】
畦形成部４は、可動機枠９にて回転可能に軸支された左右方向の駆動軸である回転軸23と、この回転軸23と一体となって回転中心軸線Ｘを中心として所定の回転方向（図示矢印方向）に回転しながら、盛土体３にて盛り上げられた土（盛土）を締め固めて水平面に対して田面側に向かって下り傾斜面状の畦側面を形成する円錐台状（略円錐台状を含む）の回転可能な畦側面形成体（側面ディスク）24と、回転軸23と一体となって畦側面形成体24とともに回転中心軸線Ｘを中心として所定の回転方向（図示矢印方向）に回転しながら、盛土体３にて盛り上げられた土（盛土）を締め固めて水平面状の畦上面を形成する円柱状（略円柱状を含む）の回転可能な畦上面形成体（上面ローラ）25とを有している。
【００２２】
なお、畦形成部４の回転軸23は、入力軸11側からの動力によって所定方向に駆動回転する。また、回転軸23の軸芯を通る線が、回転中心軸線Ｘである。
【００２３】
ここで、図２ないし図８にも示されるように、畦側面形成体24は、この畦側面形成体24の回転方向に並ぶ扇形状の複数枚（例えば８枚）の金属製の畦側面形成板31を有している。複数枚の畦側面形成板31は、回転軸23に脱着可能に取り付けられたベース部材32の外周面に固着され、回転中心軸線（回転軸23）Ｘを中心として放射状に位置している。
【００２４】
各畦側面形成板31は、回転方向後端側で土を徐々に押し込むよう、回転中心軸線Ｘからの距離が回転方向前端側から回転方向後端側に向かって徐々に増大するように位置している。このため、互いに隣り合う畦側面形成板31間には、所定寸法の段差（上下の間隔）33が存在している（図７参照）。
【００２５】
つまり、互いに隣り合う両畦側面形成板31に関し、一方の畦側面形成板（回転方向後側の畦側面形成板）31の回転方向前端部と、他方の畦側面形成板（回転方向前側の畦側面形成板）31の回転方向後端部とが、互いに重なり合うことなく（重なり合ってもよい）、細長板状の段差保持用の連結部材34によって連結されている。そして、その連結部材34にて、互いに隣り合う両畦側面形成板31間の段差33が所定寸法に保持されている。
【００２６】
なお、連結部材34は、一方の畦側面形成板31の回転方向前端部の内面（裏面）に溶接等にて固定された第１平板部34aと、他方の畦側面形成板31の回転方向後端部の内面（裏面）に溶接等にて固定された第２平板部34bと、これら両平板部34a，34b同士を連結する断面略Ｕ字状の曲板部34cとにて構成されている。
【００２７】
畦上面形成体25は、隣り合うもの同士が部分的に重なり合った状態で畦上面形成体25の回転方向に並ぶ複数枚（例えば畦側面形成板31と同数である８枚）の弾性変形可能な合成樹脂製の畦上面形成板である羽根板（弾性板）41を有している。複数枚の羽根板41は、板状の取付部材43によって円筒状のベース部材である取付筒42の外周面に脱着可能に取り付けられている。
【００２８】
取付筒42は、連結ボルト45によって畦側面形成体24のベース部材32に連結されている。取付筒42の外周面には、４つで１組をなす取付用溝46が複数組形成され、これと同様に、各羽根板41には、４つで１組をなす取付用孔47が複数組形成されている。取付部材43は、細長状の板部43aと、この板部43aの４箇所に突設された爪部43bとにて構成されている。
【００２９】
そして、取付部材43の爪部43bが羽根板41の取付用孔47を通って取付筒42の取付用溝46に挿入されることによって、羽根板41が取付筒42に脱着可能に取り付けられている。また、取付ボルト49によって円板状の固定板50が取付筒42の端面に取り付けられることによって、羽根板41が取付筒42に対して位置決め固定されている。なお、取付部材43および固定板50を取り外すことにより、羽根板41を取付筒42から取り外すことが可能となる。
【００３０】
畦上面形成用の各羽根板41は、例えば合成樹脂板によって、平面視で回転中心軸線Ｘに対して傾斜した方向に長手方向を有するやや長手状の板状に一体に形成されたものである。
【００３１】
そして、各羽根板41は、平面視で取付筒42と重なる本体板部51と、この本体板部51の畦側面形成体24側の端部（内端部）に連設され、平面視かつ側面視で畦側面形成体24の畦側面形成板31の一部と重なる重なり部である移行部52とを有している。
【００３２】
つまり、羽根板41は、取付筒42の外面を覆う本体板部51と、畦側面形成板31の畦上面形成体25側の端部外面を覆うようにその本体板部51の内端部から畦側面形成体24側に向かって膨出する移行部（膨出部）52とにて構成されている。
【００３３】
本体板部51は、その回転方向前端部が取付部材43にて取付筒42の外周面に取り付けられ、かつ、その回転方向後端部が取付筒42の外周面から離れている。つまり、本体板部51は、回転方向後端側で土を徐々に押し込むよう、回転中心軸線Ｘからの距離が回転方向前端側から回転方向後端側に向かって徐々に増大するように位置している。なお、本体板部51の回転方向前端部に、複数組の取付用孔47が形成されている。
【００３４】
移行部52は、畦側面形成体24との重なり量（畦側面形成体24側への膨出量）が回転方向前端側から回転方向後端側に向かって徐々に減少するような形状となっている。つまり、移行部52は、回転方向後端側から回転方向前端側へかけて畦上面形成体24側（取付筒42側）から畦側面形成体24側へ接近（突出）する形状となっており、羽根板41の移行部52と畦側面形成板31との重なり量が回転方向前端側から回転方向後端側に向かって徐々に減少している。
【００３５】
そして、移行部52の回転方向前端部52aは、畦側面形成体24の段差33に接近し、その段差33を介して互いに隣り合う畦側面形成板31のうちの一方の畦側面形成板（回転方向後側の畦側面形成板）31の回転方向前端部の近傍に、その回転方向前端部外面とは弾性変形前の状態で接触しないように位置している。
【００３６】
なお、例えば図示しないが、弾性変形前の状態時（非作業時）に、移行部52の回転方向前端部52aが、畦側面形成板31の回転方向前端部外面に接触するようにしてもよい。また、移行部52の回転方向前端部52aの回転方向前後位置が、畦側面形成板31の回転方向前端部の回転方向前後位置に対して一致してもよく、多少ずれてもよい。
【００３７】
また、移行部52の回転方向前端部52aの少なくとも先端側、すなわち例えば回転方向前端部52aの三角状の先端側（図４中、斜線が施された三角状部分である羽根先端部分）は、互いに隣り合う畦側面形成板31のうちの他方の畦側面形成板（回転方向前側の畦側面形成板）31の回転方向後端部よりも畦側に突出しないように位置している。
【００３８】
図７（ａ）には羽根板41が弾性変形する前の状態が示され、図７（ｂ）には作業時に羽根板41が土圧で弾性変形して畦側面形成板31の外面（表面）にこの外面に沿って面状に接触した状態が示されている。
【００３９】
この図７からも明らかなように、移行部52は、作業時と非作業時で土圧により形状が変化するが、作業時および非作業時のいずれであっても、移行部52の回転方向前端部52aの少なくとも先端側部分は、畦側面形成板31の回転方向後端部（図７に示す仮想円ａ）よりも畦側に突出しないように位置している。
【００４０】
換言すると、羽根板41の移行部52の回転方向前端部52aの少なくとも先端側（例えば先端側のみ）が、常に仮想円ａよりも内方側（反畦側）に位置しており、畦側面形成体24の段差33から出ないようになっている。なお、移行部52の回転方向前端部52aの略全体が常に仮想円ａよりも内方側に位置するようにしてもよい。
【００４１】
仮想円（凸ライン）ａは、回動中心軸線Ｘを中心とした円であって、複数の畦側面形成板31の回転方向後端部（凸部）を結んだものである。なお、移行部52の回転方向後端側は、例えば畦側に向かって凸の湾曲状に形成され、その頂点部分が仮想円ａよりも畦側に突出している。
【００４２】
また、図４等に示されるように、羽根板41の移行部52の回転方向後端部52bは、例えば湾曲形状（円弧形状を含む）に形成されている。すなわち例えば、移行部52の回転方向後端部52bの端縁が、外方に向かって凸の湾曲縁52b1となっている。
【００４３】
なお、図４から明らかなように、移行部52の回転方向前端部52aは、本体板部51の回転方向前端部51aよりも回転方向前方に向かって突出している。また、図４中の１点鎖線は、本体板部51と移行部52との境界線である。
【００４４】
次に、上記畦塗り機１の作用等を説明する。
【００４５】
トラクタの後部の３点リンクに畦塗り機１を連結してトラクタを走行させると、畦塗り機１はトラクタとともに進行方向に向って移動し、盛土体３、畦形成部４および上面削り部５がそれぞれ駆動回転する。
【００４６】
そして、盛土体３にて耕耘された土が元畦に盛り上げられ、その後方で、畦側面形成体24の畦側面形成板31にて土が締め固められて傾斜面状の畦側面が形成されると同時に、畦上面形成体25の羽根板41にて土が締め固められて水平面状の畦上面が形成される。
【００４７】
このとき、畦上面形成体25の羽根板41は、断続的に土圧により弾性変形し、この弾性変形により移行部52の略全体が畦側面形成板31の外面に略密着した状態となる。
【００４８】
そして、このような畦塗り機１によれば、畦上面形成体25の羽根板41は畦側面形成体24と重なる移行部52を有し、この移行部52は畦側面形成体24との重なり量が回転方向前端側から回転方向後端側に向かって減少するような形状となっているため、畦上面部および畦肩部の整畦性能が向上し、特に畦肩部を湾曲面状に締め固めることができ、よって崩れにくい強固な畦を形成できる。
【００４９】
また、羽根板41の移行部52の回転方向前端部52aの少なくとも先端側は、畦側面形成板31の回転方向後端部（仮想円ａ）よりも畦側に突出しないように常に段差33内に位置しているため、畦に筋が付きにくくなり、崩れにくい強固な畦を適切に形成できる。
【００５０】
さらに、羽根板41の移行部52の回転方向後端部52bは、湾曲形状に形成されているため、畦に与える圧力変化が少なく、崩れにくい強固な畦を適切に形成できる。
【００５１】
なお、上記一実施の形態では、板状の取付部材43によって羽根板41が取付筒42に取り付けられた構成について説明したが、例えば図９に示すように、取付筒42のねじ孔部57への取付ボルト56の螺合締付けによって、羽根板41を取付筒42に取り付けるようにしてもよい。
【００５２】
また、例えば図１０に示すように、羽根板41の移行部52の回転方向後端部52bの形状は、多角形状でもよい。すなわち例えば、移行部52の回転方向後端部52bの端縁が、複数箇所で折れ曲がった屈曲縁52b2となっている。
【００５３】
さらに、畦上面形成板である羽根板（弾性板）41は、合成樹脂板には限定されず、例えば弾性変形可能な金属板やゴム板等でもよい。
【００５４】
また、畦上面形成板は、例えば弾性変形せず、取付筒42に回動可能に設けられたもの等でもよい。
【００５５】
さらに、畦上面形成板や畦側面形成板の数は、８枚には限定されず、６つや１０以上でもよく、任意である。
【符号の説明】
【００５６】
１    畦塗り機
３    盛土体
24    畦側面形成体
25    畦上面形成体
31    畦側面形成板
41    畦上面形成板である羽根板
52    移行部
52a   回転方向前端部
52b   回転方向後端部
【図１】
2015146793.tif 000003
【図２】
2015146793.tif 000004
【図３】
2015146793.tif 000005
【図４】
2015146793.tif 000006
【図５】
2015146793.tif 000007
【図６】
2015146793.tif 000008
【図７】
2015146793.tif 000009
【図８】
2015146793.tif 000010
【図９】
2015146793.tif 000011
【図１０】
2015146793.tif 000012